(57)【特許請求の範囲】
【請求項１】
イオン風発生機器から送出されている状態のイオン風の可視化方法であって、
前記イオン風の到達空間領域と交差する所定平面上に規定した複数の計測点を経由しつ
つイオン計測装置のイオン取込口で二次元的に走査してイオンの密度情報を前記計測点毎
に取得し、得られた密度情報群を前記計測点の位置情報を保持しつつ統合して密度合成デ
ータを生成すると共に、各計測点におけるイオン密度に応じて変化可能な可視化手段によ
って前記密度合成データに基づき所定の表示媒体上に表示することを特徴とするイオン風
の可視化方法。
【請求項２】
イオン風発生機器から送出されている状態のイオン風の可視化方法であって、
取り込んだイオンの量に応じて輝度又は色が変化する発光体を配設したイオン計測装置
のイオン取込口で前記イオン風の到達空間領域と交差する所定平面上に規定した複数の計
測点を経由しつつ二次元的に走査し、前記計測点毎の前記発光体の撮像画像データを収集
し、得られた撮像画像データ群を前記計測点の位置情報を保持しつつ合成して合成画像デ
ータを生成すると共に、同合成画像データに基づき所定の表示媒体上に表示することを特
徴とするイオン風の可視化方法。
【請求項３】
前記発光体は前記イオン取込口の近傍に配設されており、前記撮像画像データを生成す
る撮像装置は、同撮像装置の画角内に前記発光体が収まる状態で、前記発光体と相対的に
固定されていることを特徴とする請求項２に記載のイオン風の可視化方法。
【請求項４】
前記発光体は前記イオン取込口の近傍に配設されており、前記撮像画像データを生成す
る撮像装置は、同撮像装置の画角内に前記所定平面により切断された前記到達空間領域の
切断面の少なくとも一部が収まる状態で、前記所定平面と相対的に固定されていることを
特徴とする請求項２に記載のイオン風の可視化方法。
【請求項５】
前記発光体は、前記所定平面に対して法線方向への長さ成分を有する形状としたことを
特徴とする請求項４に記載のイオン風の可視化方法。
【請求項６】
前記所定平面は、前記イオン風の吹出方向と略並行であることを特徴とする請求項３〜
５いずれか１項に記載のイオン風の可視化方法。
【請求項７】
前記計測点は、前記所定平面上に略格子状に規定することを特徴とする請求項１〜６い
ずれか１項に記載のイオン風の可視化方法。
【請求項８】
前記イオン風発生機器から吹き出されるイオン風の吹出方向が前記所定平面上に規定さ
れた前記複数の計測点含む所定区画内に含まれるよう吹出口を配向させた状態で前記イオ
ン風発生機器を前記所定区画の一端に配置すると共に、
前記吹出口から遠位の吹出方向への計測点間距離を、前記吹出口の近位における吹出方
向の計測点間距離よりも長くしたことを特徴とする請求項７に記載のイオン風の可視化方
法。
【発明の詳細な説明】
【技術分野】
【０００１】
本発明は、イオン風の可視化方法及びイオン密度分布表示体に関する。
【背景技術】
【０００２】
従来、森林や滝など自然界においても観察されるマイナスイオンは、頭髪や手肌の潤いを高め、また、リラックス状態を増進させるなど様々な機能が注目されている。
【０００３】
そこで近年、使用者や屋内空間に対し人為的に生成したマイナスイオンを気流と共に吹き出し、マイナスイオンの流れ（以下、本明細書ではイオン風という。）を形成するイオン風発生機器が提案されている。
【０００４】
このようなイオン風発生機器として一般に流通しているものとしては、例えば、ドライヤーや空気清浄機、エアコンなどを挙げることができる。
【０００５】
そして、これらのイオン風発生機器を使用することにより、例えばドライヤーであれば使用者の頭髪に潤いを与えつつ乾燥を行ったり、また空気清浄機やエアコンであればこれを配置した屋内環境の改善を行うことができる。
【先行技術文献】
【特許文献】
【０００６】
【特許文献１】特開２０１３−０２２２５１号公報
【発明の概要】
【発明が解決しようとする課題】
【０００７】
ところで、近年の健康志向や美容志向の高まりにより、消費者の間ではこれらイオン風発生機器の購入や検討にあたり、単にイオン風が生成されるのみではなく、どの程度の量のマイナスイオンが生成されるのかが大きな関心事となっている。
【０００８】
しかし、これらイオン風発生機器から送出されるイオン風は、実際に肉眼で目視することはできない。
【０００９】
そこで、イオン風発生機の吹出口から所定距離の位置にイオン計数機（イオンカウンター）を配置してイオン量の計測を行い、その数値やその数値が属するイオン密度のランク（例えば、JIS B9929:2006「空気中のイオン密度測定方法」のクラス１〜クラス６など）を製品の包装材等に表示するなどして、イオン風発生機器の購入を検討してる者や購入者（以下、総称して消費者という）に対しイオンの量を示している。
【００１０】
しかしながら、上述したイオン量の計測は、イオン風発生機から送出されている状態のイオン風が広がる領域（以下、イオン風の到達空間領域という。）の中で、たった１カ所でしか行われておらず、どの程度の量のマイナスイオンがどのような分布をもって送出されているのかについて、消費者がイメージするのは困難であった。
【００１１】
本発明は、斯かる事情に鑑みてなされたものであって、イオン密度の高低やイオンの分布を視覚的に容易に把握することのできるイオン風の可視化方法を提供する。
【００１２】
また、本発明では、イオン密度の高低やイオンの分布を視覚的に容易に把握することのできるイオン密度分布表示体、及び同イオン密度分布表示体を備えたイオン風発生機器用包装材並びにイオン風発生機器の広告媒体物についても提供する。
【課題を解決するための手段】
【００１３】
上記従来の課題を解決するために、本発明に係るイオン風の可視化方法では、（１）イオン風発生機器から送出されている状態のイオン風の可視化方法であって、前記イオン風の到達空間領域と交差する所定平面上に規定した複数の計測点を経由しつつイオン計測装置のイオン取込口で二次元的に走査してイオンの密度情報を前記計測点毎に取得し、得られた密度情報群を前記計測点の位置情報を保持しつつ統合して密度合成データを生成すると共に、各計測点におけるイオン密度に応じて変化可能な可視化手段によって前記密度合成データに基づき所定の表示媒体上に表示することとした。
【００１４】
また、本発明に係るイオン風の可視化方法では、（２）イオン風発生機器から送出されている状態のイオン風の可視化方法であって、取り込んだイオンの量に応じて輝度又は色が変化する発光体を配設したイオン計測装置のイオン取込口で前記イオン風の到達空間領域と交差する所定平面上に規定した複数の計測点を経由しつつ二次元的に走査し、前記計測点毎の前記発光体の撮像画像データを収集し、得られた撮像画像データ群を前記計測点の位置情報を保持しつつ合成して合成画像データを生成すると共に、同合成画像データに基づき所定の表示媒体上に表示することとした。
【００１５】
また、本発明に係るイオン風の可視化方法では、以下の点にも特徴を有する。
（３）前記発光体は前記イオン取込口の近傍に配設されており、前記撮像画像データを生成する撮像装置は、同撮像装置の画角内に前記発光体が収まる状態で、前記発光体と相対的に固定されていること。
（４）前記発光体は前記イオン取込口の近傍に配設されており、前記撮像画像データを生成する撮像装置は、同撮像装置の画角内に前記所定平面により切断された前記到達空間領域の切断面の少なくとも一部が収まる状態で、前記所定平面と相対的に固定されていること。
（５）前記発光体は、前記所定平面に対して法線方向への長さ成分を有する形状としたこと。
（６）前記所定平面は、前記イオン風の吹出方向と略並行であること。
（７）前記計測点は、前記所定平面上に略格子状に規定すること。
（８）前記イオン風発生機器から吹き出されるイオン風の吹出方向が前記所定平面上に規定された前記複数の計測点含む所定区画内に含まれるよう吹出口を配向させた状態で前記イオン風発生機器を前記所定区画の一端に配置すると共に、前記吹出口から遠位の吹出方向への計測点間距離を、前記吹出口の近位における吹出方向の計測点間距離よりも長くしたこと。
【００１６】
また、本発明に係るイオン密度分布表示体では、（９）色相、彩度、明度、大きさ、コントラストから選ばれる少なくともいずれか１つがイオン密度によって異なる複数のドットを、イオン風発生機器の吹出口より実際に送出されたイオン風のイオン密度の複数の計測点と対応する所定の表示媒体上の位置に付した。
【００１７】
また、本発明に係るイオン密度分布表示体では、以下の点にも特徴を有する。
（１０）前記ドットは、前記表示媒体上に規定した仮想格子の交点上に配位しており、縦横に整列した状態で表示されていること。
（１１）前記仮想格子は、幅方向に隣り合う交点の間隔に比して、吹出方向に隣り合う交点の間隔の方が狭いこと。
（１２）前記仮想格子は、前記吹出口の近位に対応する表示媒体上の位置から前記吹出口の遠位に対応する表示媒体上の位置へ向かうに従い、吹出方向への間隔が漸次長くなること。
（１３）前記複数のドットのうち少なくとも一部のドット群は、これらドット群が実質的に一体化した露光過剰領域として示されていること。
（１４）前記複数のドットのうち、吹出口から遠位の部分に対応する表示媒体上の位置に付したドットは、イオン風の吹出方向と略並行な長軸を有する略楕円形状としたこと。
【００１８】
また、本発明に係るイオン風発生機器用包装材では、（１５）上記（９）〜（１４）いずれかに記載のイオン密度分布表示体を備えることとした。
【００１９】
また、本発明に係るイオン風発生機器の広告媒体物では、（１６）上記（９）〜（１４）いずれかに記載のイオン密度分布表示体を備えることとした。
【発明の効果】
【００２０】
本発明に係るイオン風の可視化方法によれば、イオン風発生機器から送出されている状態のイオン風の可視化方法であって、前記イオン風の到達空間領域と交差する所定平面上に規定した複数の計測点を経由しつつイオン計測装置のイオン取込口で二次元的に走査してイオンの密度情報を前記計測点毎に取得し、得られた密度情報群を前記計測点の位置情報を保持しつつ統合して密度合成データを生成すると共に、各計測点におけるイオン密度に応じて変化可能な可視化手段によって前記密度合成データに基づき所定の表示媒体上に表示することとしたため、イオン密度の高低やイオンの分布を視覚的に容易に把握することのできるイオン風の可視化方法を提供することができる。
【００２１】
また、本発明に係るイオン風の可視化方法によれば、イオン風発生機器から送出されている状態のイオン風の可視化方法であって、取り込んだイオンの量に応じて輝度又は色が変化する発光体を配設したイオン計測装置のイオン取込口で前記イオン風の到達空間領域と交差する所定平面上に規定した複数の計測点を経由しつつ二次元的に走査し、前記計測点毎の前記発光体の撮像画像データを収集し、得られた撮像画像データ群を前記計測点の位置情報を保持しつつ合成して合成画像データを生成すると共に、同合成画像データに基づき所定の表示媒体上に表示することとしたため、イオン密度の高低やイオンの分布を視覚的に容易に把握することのできるイオン風の可視化方法を提供することができる。
【００２２】
また、前記発光体は前記イオン取込口の近傍に配設されており、前記撮像画像データを生成する撮像装置は、同撮像装置の画角内に前記発光体が収まる状態で、前記発光体と相対的に固定されていることとすれば、前記発光体の形状に応じた一定形状のドットによりイオン密度の高低やイオンの分布を表示することができる。
【００２３】
また、前記発光体は前記イオン取込口の近傍に配設されており、前記撮像画像データを生成する撮像装置は、同撮像装置の画角内に前記所定平面により切断された前記到達空間領域の切断面の少なくとも一部が収まる状態で、前記所定平面と相対的に固定されていることとすれば、撮像装置と発光体との相対的な位置関係に応じ、発光体の形状に由来してドット形状を変化させることができる。
【００２４】
また、前記発光体は、前記所定平面に対して法線方向への長さ成分を有する形状とすれば、撮像装置と発光体との相対的な位置関係に応じたドット形状の変化をより顕著なものとすることができる。
【００２５】
また、前記所定平面は、前記イオン風の吹出方向と略並行であることとすれば、イオン風発生機器から送出されるイオン風の吹出方向におけるイオン密度や分布を表示することができる。
【００２６】
また、前記計測点は、前記所定平面上に略格子状に規定することとすれば、撮像された発光体のドットが縦横に整然と整列した表示を得ることができる。
【００２７】
また、前記イオン風発生機器から吹き出されるイオン風の吹出方向が前記所定平面上に規定された前記複数の計測点含む所定区画内に含まれるよう吹出口を配向させた状態で前記イオン風発生機器を前記所定区画の一端に配置すると共に、前記吹出口から遠位の吹出方向への計測点間距離を、前記吹出口の近位における吹出方向の計測点間距離よりも長くすれば、あたかも吹出口近位から遠位へ向けて勢いよくイオン風が流れているかの如く表示することができる。
【００２８】
また、本発明に係るイオン密度分布表示体では、色相、彩度、明度、大きさ、コントラストから選ばれる少なくともいずれか１つがイオン密度によって異なる複数のドットを、イオン風発生機器の吹出口より実際に送出されたイオン風のイオン密度の複数の計測点と対応する所定の表示媒体上の位置に付したため、イオン密度の高低やイオンの分布を視覚的に容易に把握することのできるイオン密度分布表示体を提供することができる。
【００２９】
また、前記ドットは、前記表示媒体上に規定した仮想格子の交点上に配位しており、縦横に整列した状態で表示されていることとすれば、撮像された発光体のドットが縦横に整然と整列した表示を得ることができる。
【００３０】
また、前記仮想格子は、幅方向に隣り合う交点の間隔に比して、吹出方向に隣り合う交点の間隔の方を狭くすれば、吹出方向へイオンが流れているイメージをより強く消費者等に対して印象づけることができる。
【００３１】
また、前記仮想格子は、前記吹出口の近位に対応する表示媒体上の位置から前記吹出口の遠位に対応する表示媒体上の位置へ向かうに従い、吹出方向への間隔が漸次長くなることとすれば、あたかも吹出口近位から遠位へ向けて勢いよくイオン風が流れているかの如く表示することができる。
【００３２】
また、前記複数のドットのうち少なくとも一部のドット群は、これらドット群が実質的に一体化した露光過剰領域として示されていることとすれば、ドットやドット群の周囲に薄く「もや」がかかった状態を表現することができ、無数の煌めく微粒子がドライヤー２４の吹出口２４ａから勢いよく流れているような、幻想的な演出を施すことができる。
【００３３】
また、前記複数のドットのうち、吹出口から遠位の部分に対応する表示媒体上の位置に付したドットは、イオン風の吹出方向と略並行な長軸を有する略楕円形状とすれば、あたかもイオン風が流れているような演出効果を生起することができる。
【００３４】
また、本発明に係るイオン風発生機器用包装材によれば、上記イオン密度分布表示体を備えることとしたため、イオン風発生機器の購入を検討している消費者等に対し、イオン密度の高低やイオンの分布を視覚的に認識させてイオン風発生機器の性能を強く訴求することができる。
【００３５】
また、本発明に係るイオン風発生機器の広告媒体物によれば、上記イオン密度分布表示体を備えることとしたため、イオン風発生機器の広告媒体物に接した者に対し、イオン密度の高低やイオンの分布を視覚的に認識させてイオン風発生機器の性能を強く訴求することができる。
【図面の簡単な説明】
【００３６】
【図１】イオン風の可視化を行うために使用するイオン風可視化装置の構成を示した分解斜視図である。
【図２】ボールプランジャと吹出方向位置決め部との関係を示した説明図である。
【図３】イオン風可視化装置の構成を示した説明図である。
【図４】イオン風可視化装置の構成、及び、撮像画像の状態を示した説明図である。
【図５】撮像画像データの合成（統合）の状態を示した概念図である。
【図６】合成画像データに基づく表示（イオン密度分布表示体）を示した説明図である。
【図７】イオン風可視化設備の構成を示した説明図である。
【図８】角度による発光体の見え方の違いを示した説明図である。
【図９】合成画像データに基づく表示（イオン密度分布表示体）を示した説明図である。
【図１０】イオン密度分布表示体を付した包装箱を示す説明図である。
【発明を実施するための形態】
【００３７】
本発明は、イオン風発生機器より吹き出されたマイナスイオンの流れ（以下、イオン風という。）を可視化する方法に関するものである。
【００３８】
イオン風発生機器は特に限定されるものではなく、人為的に生成したマイナスイオンを、使用者や屋内空間などの対象に対して気流と共に吹き出し可能に構成された機器であれば良い。このような機器としては、例えばドライヤーや空気清浄機、エアコンなどが挙げられる。
【００３９】
また、イオン風発生機器は、必ずしもそれ自体が単独で消費者に買い求められるものである必要はない。具体的には、イオン風を庫内に発生させる冷蔵庫の如く、所定の製品の一部として配設されたイオン風発生機構なども、本発明のイオン風発生機器に該当すると解するべきである。
【００４０】
そして、本実施形態に係るイオン風の可視化方法に特徴的には、その一実施態様として、イオン風発生機器から吹き出された流動状態にあるイオン風を対象とし、イオン風発生機器を稼動させたままの状態でイオン風の到達空間領域と交差する所定平面上に規定した複数の計測点を経由しつつイオン計測装置のイオン取込口で二次元的に走査してイオンの密度情報を前記計測点毎に取得し、得られた密度情報群を前記計測点の位置情報を保持しつつ統合して密度合成データを生成すると共に、各計測点におけるイオン密度に応じて変化可能な可視化手段によって前記密度合成データに基づき所定の表示媒体上に表示することとしている。
【００４１】
イオン風の到達空間領域は、イオン風発生機器の吹出口から気流と共に吹き出されたマイナスイオンが存在したり到達する三次元的な空間領域である。例えばイオン風発生機器がドライヤーであるならば、ドライヤーの吹出口から気流と共に吹き出されたマイナスイオンが広がる領域を意味している。
【００４２】
また、ここで言う所定平面は仮想的な平面である。この所定平面は到達領域と交差していれば良く、イオン風発生機器の吹出口からある程度の指向性をもって気流が吹き出されているならば、その指向方向（以下、吹出方向ともいう。）に沿った垂直平面であっても良く、また、吹出方向に沿った水平平面であっても良い。
【００４３】
また、所定平面は必ずしも吹出方向に沿った方向である必要はなく、到達空間領域を長手方向中途で分断する平面、すなわち、吹出方向と略直交する平面であっても良いし、吹出方向と斜めに交わる平面であっても良い。
【００４４】
中でも所定平面が吹出方向に沿った略水平な平面であって、吹き出された気流の吹出方向への軸線の近傍、又はこの軸線を含む平面としたならば、イオン風発生器の吹出口から送出されている状態のイオン風の広がりを極めて良好な視認性をもって表示することができる。
【００４５】
また、これらの平面上には複数の計測点が規定される。この計測点は、複数であれば特に限定されるものではなく、多いほどきめの細かい表示を行うことが可能であるが、計測点毎に密度情報（後述）を得る必要があるため、現実的には作業性との兼ね合いでその数を決定すべきである。
【００４６】
計測点では、イオン計測装置によりイオンの密度情報の取得が行われる。イオン計測装置は、所謂イオンカウンターなど、気体中のイオンの数や量、密度（濃度）を計測する装置を採用することができる。このイオン計測装置としては、例えば、同軸二重円筒式イオン密度測定器や平行平板式イオン密度測定器を採用することができる。なお、これらのイオン計測装置は、設定によりマイナスイオンの他、プラスイオンについても計測可能なものが存在する。それゆえ、本実施形態に係るイオン風の可視化方法は、プラスイオンのイオン風の可視化も可能であり、本発明の概念に含まれることは言うまでもない。但し、本明細書では市場製品の状況に鑑み、マイナスイオンを中心に説明を行う。
【００４７】
密度情報は、計測点におけるイオンの量（数）を示す情報であれば特に限定されるものではなく、単位時間あたりのイオン量や、単位体積あたりのイオン量、累積イオン量などとすることができる。
【００４８】
また、イオン計測装置より出力される密度情報は、計測点におけるイオンの量を反映した情報を含んでいれば良く、好ましくは計測点の位置情報を含むものであり、密度情報を取得する取得手段側の態様に応じて採用することができる。
【００４９】
例えば、密度情報を取得する取得手段がコンピュータ等であれば、代表的には密度情報を電流や電圧、電波等に変換した信号を挙げることができ、また、取得手段がスチルカメラやビデオカメラなどの撮像装置であれば、その撮像画像において色相、彩度、明度、大きさ、コントラスト等に変化を与える光などとすることができる。
【００５０】
そして、所定平面上では、イオン計測装置のイオン取込口で複数の計測点を経由しつつ二次元的に走査して、それぞれの計測点における密度情報を取得し、これら密度情報の集合である密度情報群を得る。
【００５１】
次に、得られた密度情報群を、計測点の位置情報を保持しつつ統合して密度合成データの生成を行う。具体的な一例を挙げるならば、例えば、コンピュータを用いて密度情報を取得した場合において、計測点Ａにて得られた密度情報が「A（座標X1,座標Y1,イオン密度D1）」、計測点Ｂで得られた密度情報が「B（座標X2,座標Y2,イオン密度D2）」のように、個別のデータファイルとして得られている場合には、これら個別の密度情報のファイルを１つのファイルに統合する作業と解することができる。なお、密度情報の取得と密度合成データの生成とは必ずしも別個に行われる必要はなく、各計測点において密度情報を収集するたびに、既に存在している密度情報に対して累積的に情報を追加することで、密度情報の取得と密度合成データの生成とを同時に行うようにしても良い。また、密度合成データに相当する１つのファイルが生成されなくとも、所定のプログラムやソフトウェア等によって各密度情報のファイルを個別に読み込むことにより、所定記憶媒体の記憶領域（例えば、フレキシブルディスクやハードディスク、光学ディスク、ソリッドステートドライブ、ＵＳＢメモリ等は勿論のこと、画像表示用のＶＲＡＭも含む）上などにおいて実質的に一体化されたデータについても、密度合成データの概念に含まれる。
【００５２】
また、別の具体例を挙げるならば、密度合成データの生成は、例えばデジタルカメラ（撮像装置）を用い、イオン計測装置にて取り込んだイオンの量に応じて輝度や色等が変化する発光体を被写体とし、各計測点における撮像画像データを密度情報として取得した場合において、得られた複数の撮像画像データを計測点の位置関係を保ちつつ合成して合成画像データを生成する作業と解することもできる。
【００５３】
そして、このようにして得られた密度合成データに基づき、各計測点におけるイオン密度に応じて変化可能な可視化手段によって所定の表示媒体上に表示することでイオン密度分布表示体が構築され、イオン風の可視化が行われることとなる。
【００５４】
ここで、イオン密度に応じて変化可能な可視化手段としては、例えば、混ぜ具合（加法混色や減法混色）により色を変化させることのできる光や色料を挙げることができる。また、例えば、イオン密度の高低に応じて大きさを違えた円やドットのように、ヒトの視覚領域における占有割合を変化させることのできるものであっても良い。すなわち、紙やディスプレイなど後述の表示媒体上で印刷表示したり映像表示した際に、イオン密度の違いが視認できる手段であれば良い。
【００５５】
また表示媒体は特に限定されるものではなく、紙やビニール、布のように印刷等により表示可能な媒体は勿論のこと、テレビやコンピュータのディスプレイなども概念として含まれる。
【００５６】
本ステップをコンピュータにより行うのであれば、所定の描画ソフトウェア等により密度合成データを読み込み、密度合成データを構成する密度情報が保持するイオン密度情報に応じて彩度や明度を変化させたドットを、位置情報と対応する画面上に規定した位置に配置して表示することで、画面上にイオン密度分布表示体が表現され、イオン風の可視化が行われる。
【００５７】
また、密度合成データが合成画像データである場合、すなわち、デジタルカメラ等を用いて各計測点毎に撮像した場合には、合成画像データを所定の描画ソフトウェア等で読み込んで画面上に表示させることで、イオン密度分布表示体が表現され、イオン風の可視化が行われる。
【００５８】
また、いずれの場合においても、前述した紙やビニール、布のように印刷等により表示可能な媒体に印刷してイオン密度分布表示体とし、イオン風の可視化を行っても良い。
【００５９】
このように、本実施形態に係るイオン風の可視化方法の基本的な概念は上述した通りであるが、より具体的な態様としては、例えば、デジタルカメラ等の撮像装置を用いて各計測点毎に撮像するに際し、発光体はイオン取込口の近傍に配設し、撮像画像データを生成する撮像装置は、同撮像装置の画角内に発光体が収まる状態で、発光体と相対的に固定しても良い。
【００６０】
すなわち、計測点を経由しつつ走査するイオン取込口に撮像装置を追従させながら、イオン取込口近傍に配設された発光体を計測点毎に撮像しても良い。
【００６１】
このような構成とすることにより、発光体の形状に応じた略一定形状のドットによりイオン密度の高低やイオンの分布を表示することができる。
【００６２】
また、この場合においても、得られた撮像画像データは、撮像した計測点の位置情報を備えるのが望ましい。具体的には、デジタルカメラで撮影した写真ファイル内に計測点の位置情報を書き加えることで１ファイルとしても良いし、発光体と共に位置的な基準となるマーカを撮像しても良いし、写真ファイルと位置情報ファイルとは別体だが互いに関連付けされていて、撮像により得られた写真ファイルが、どの計測点で得られたものか分かる状態となっていても良い。
【００６３】
また、撮像装置は必ずしも発光体と相対的に固定されている必要はない。具体的には、発光体は前記イオン取込口の近傍に配設されており、撮像画像データを生成する撮像装置は、同撮像装置の画角内に所定平面により切断された到達空間領域の切断面の少なくとも一部が収まる状態で、所定平面と相対的に固定されていることとしても良い。
【００６４】
このような構成とすることにより、撮像装置と発光体との相対的な位置関係に応じ、発光体の形状に由来してドット形状を変化させることができる。
【００６５】
例えば発光体が円形平面状であるならば、撮像装置の撮像軸直下において撮像された発光体は、得られた撮像画像データに基づき再現される画像（以下、撮像画像という。）上において円形のドットとなるが、撮像軸から離れた位置となるに従い、その計測点での撮像画像はその距離に応じた離隔方向を短軸とする楕円形のドットとなって現れる。そこで、このようなドットを円形に変形させたり、イオン風の吹出方向と並行な長軸を有する略楕円形状に変形させても良い。
【００６６】
この撮像角度に由来する自然発生的なドット形状の変形や、画像加工によるドット形状の変形は、イオン密度分布表示体において、イオン風の流動感やスピード感を付与するのに好適である。すなわち、撮像軸から離隔した位置を、イオン風の到達空間領域の吹出口からの遠位部分に合わせて撮像することにより、イオン密度分布表示体上では、吹出口から遠位部分に相当する位置のドットがあたかも気流により引き伸ばされたかのように変形することとなり、イオン風発生機器からイオン風が勢いよく噴出している状況をリアルに再現することができる。
【００６７】
またこの場合、撮像装置のレンズなどの光学部や、ハード又はソフトウェアにより実現される画像補整処理手段において、樽型や糸巻き型の歪曲収差、より好ましくは糸巻き型の歪曲収差を生じさせるようにしても良い。このような構成とすることにより、撮像軸から離隔した位置における撮像画像上のドットをより顕著に変形させることができる。なお、この処理は、必ずしも撮像装置により実現する必要はなく、得られた撮像画像データや生成した密度合成データ、合成画像データを、所定の画像加工ソフトウェア等によりコンピュータ上で加工することでも実現可能である。
【００６８】
また、更なる手段としては、発光体の形状を、所定平面に対して法線方向への長さ成分を有する形状としても良い。このような構成とすることにより、撮像軸から離隔した位置を、イオン風の到達空間領域の吹出口からの遠位部分に合わせて撮像することにより、撮像画像上に表された発光体であるドットをより顕著に変形させることができる。付言すれば、撮像軸から離隔するに従い、発光体の側面部が撮像装置によって捉えられることとなり、より顕著なドットの変形が実現される。
【００６９】
また、計測点は、所定平面により切断された到達空間領域の切断面内に複数箇所設けられていれば、その位置は特に限定されるものではないが、イオン風発生機器から吹き出されるイオン風の吹出方向に沿った縦罫又は横罫を有する格子の交点とするのが望ましい。
【００７０】
このような構成とすることにより、撮像画像上においてドットが縦横に整然と整列した表示を得ることができる。
【００７１】
またこのとき、イオン風発生機器から吹き出されるイオン風の吹出方向が、所定平面上に規定された複数の計測点含む所定区画内に含まれるよう吹出口を配向させた状態で前記イオン風発生機器を前記所定区画の一端に配置すると共に、前記吹出口から遠位の吹出方向への計測点間距離を、前記吹出口の近位における吹出方向の計測点間距離よりも長くしても良い。
【００７２】
換言するならば、吹出方向が水平方向となる状態でイオン風発生機器を配置し、所定平面を水平面とし、所定平面により切断された到達空間領域の切断面内に、計測点を吹出軸に沿った縦罫又は横罫を有する格子の交点として規定した上で、吹出口から遠い格子、特にイオン風が減衰傾向にある部分に相当する計測点を構成する格子は、吹出口の近くの格子と比較して吹出軸方向により長い長辺を有する長方形状としても良い。
【００７３】
このような構成とすることにより、吹出口近位から遠位へ向けて勢いよくイオンと共に風が流れているように表示することができる。
【００７４】
また、本願では、イオン密度の高低やイオンの分布を視覚的に容易に把握することのできるイオン密度分布表示体についても提供する。
【００７５】
具体的には、色相、彩度、明度、大きさ、コントラストから選ばれる少なくともいずれか１つがイオン密度によって異なる複数のドットが、イオン風発生機器の吹出口より実際に送出されたイオン風のイオン密度の複数の計測点と対応する所定の表示媒体上の位置に配設されたイオン密度分布表示体を提供する。
【００７６】
このイオン密度分布表示体の製造方法は、必ずしも限定されるものではないが、本実施形態に係るイオン風の可視化方法を適用することも可能である。
【００７７】
本実施形態に係るイオン密度分布表示体によれば、消費者等にイオン密度の高低やイオンの分布を視覚的に容易に把握させることが可能となる。
【００７８】
また、イオン密度分布表示体に現れるドットは、表示媒体上に規定した仮想格子の交点上に配位しており、縦横に整列した状態で表示されていることとしても良い。この仮想格子は、前述したイオン風の可視化方法を実施する際に規定したイオン風の吹出方向に沿った縦罫又は横罫を有する格子と対応する格子としても良く、別途表示媒体上に新たに規定した格子であっても良い。なお、このドットの整列状態は、必ずしも縦横に直交して整然と配列している必要はなく、実質的に縦横に整列した状態であれば多少の歪みがあっても良い。すなわち、撮像装置や撮像装置のレンズなどの光学部や、ハード又はソフトウェアにより実現される画像補整処理手段において、樽型や糸巻き型の歪曲収差、より好ましくは糸巻き型の歪曲収差を生じさせた場合には、この収差に応じて湾曲状になっていても良い。
【００７９】
また、仮想格子は、幅方向に隣り合う交点の間隔に比して、吹出方向に隣り合う交点の間隔を狭く規定しても良い。このような構成とすることにより、吹出方向へドットが、吹出方向と直交する幅方向のドットに比して、より連続性をもって視認されることとなり、消費者等の看者に対し吹出方向へのイオンの流れているイメージを強く印象付けることができる。また、吹出方向へ引き伸ばされたようなドットの変形がなされた場合には、吹出方向へのドット間隙が更に狭くなるため、吹出方向へのドットの連続性をより顕著に印象付けることができる。
【００８０】
また、仮想格子は、前記吹出口の近位に対応する表示媒体上の位置から前記吹出口の遠位に対応する表示媒体上の位置へ向かうに従い、吹出方向への間隔が漸次長くなるようにしても良い。付言するならば、吹出方向へのドット間隔が、近位から遠位へ漸次広くなるようにしても良い。このような構成とすることにより、あたかも吹出口近位から遠位へ向けて勢いよくイオン風が流れているかの如く表示することができる。
【００８１】
また、前記複数のドットのうち少なくとも一部のドット群は、これらドット群が実質的に一体化した露光過剰領域として示されていても良い。すなわち、イオン密度の高い部分は、光が飽和して個々のドットが判別困難となる程度に表現され、その周囲に拡散光がもやのように見られる状態としても良い。このような構成とすることにより、極めて幻想的な演出を施すことができる。
【００８２】
更には、前記複数のドットのうち、吹出口から遠位の部分に対応する表示媒体上の位置に付したドットは、イオン風の吹出方向と略並行な長軸を有する略楕円形状としても良い。ここで略楕円形状とは、必ずしも正確な楕円形である必要はなく、弾丸型や三角形、長方形等の形状も含む。このような構成とすることにより、あたかもイオン風が流れているような演出効果を生起することができる。
【００８３】
また、イオン密度分布表示体には、複数のドットにより構成されるドット集合体の近位端部に、イオン風発生機器の写真やイラストを配置しても良い。このような構成とすることにより、イオン風発生機器からどのようにイオン風が送出されているのかについて、消費者等により明確なイメージを生起させることができる。
【００８４】
この本実施形態に係るイオン密度分布表示体を用いて消費者等にイオン密度の高低やイオンの分布を視覚的に容易に把握させる方法としては、例えば、イオン密度分布表示体をイオン風発生機器用の包装材に付したり、店舗にて展示しているイオン風発生機器の周囲に示すポップ広告に表示したり、展示しているイオン風発生機器の周囲にて流す映像として表示したり、インターネットのウェブサイト上でイオン風発生機器の販促のために表示したり、テレビやインターネット上の動画や静止画でイオン風発生機器の販促のために表示する方法等が考えられる。付言すれば、本発明に係るイオン密度分布表示体の使用とは、少なくともこれらの行為が含まれると解すべきである。
【００８５】
特に、イオン風発生機器用包装材にイオン密度分布表示体を備えれば、イオン風発生機器の購入を検討している消費者等に対し、イオン密度の高低やイオンの分布を視覚的に認識させてイオン風発生機器の性能を強く訴求することができる。
【００８６】
また、広告媒体物にイオン風発生機器を備えるようにしても良い。ここで広告媒体物とは、上述の展示用ポップや新聞広告、雑誌広告、販促用チラシ、パンフレット等は勿論のこと、イオン密度分布表示体を映像として記録した記録媒体や、前述した密度合成データや合成画像データを固定した記録媒体等も含まれる。
【００８７】
そして、このような構成とすることにより、イオン風発生機器の広告媒体物に接した者に対し、イオン密度の高低やイオンの分布を視覚的に認識させてイオン風発生機器の性能を強く訴求することができる。
【００８８】
以下、本実施形態に係るイオン風の可視化方法やイオン密度分布表示体を中心に、図面を参照しながら具体的に説明する。なお、以下の説明では、イオン風発生機器としてドライヤーを採用し、ドライヤーの吹出軸を水平方向とし、これと平行な水平平面を所定平面として到達空間領域を切断した切断面に格子状に計測点を規定し、イオン密度に応じて変化可能な可視化手段としてイオン計測装置にて計測されたイオン密度に応じて輝度変化するＬＥＤより発せられる光とし、撮像装置（デジタルカメラ）を用いて密度情報（撮像画像データ）を収集する例を代表的に説明するが、前述の通り本発明はこれに限定されるものではない。
【００８９】
図１は、本実施形態に係るイオン風の可視化方法を実施する装置の一例として構築されたイオン風可視化装置Ａの分解斜視図である。
【００９０】
図１に示すように、イオン風可視化装置Ａは、脚部１０に複数の縦梁１１や横梁１２を架設して構築した基台１３と、基台１３上で同基台１３の長手方向に沿って移動する吹出方向移動体１４と、吹出方向移動体１４上で基台１３の短手方向に移動する幅方向移動体１５とにより構成している。
【００９１】
基台１３は、主基台１６及び副基台１７とで構成している。主基台１６は、四隅に配置した脚部１０ａ間に縦梁１１ａ及び横梁１２ａを架設して箱型フレーム状に構築した相対的に大型の基台である。副基台１７は、主基台１６の長手側面に付設された相対的に小型の基台であり、脚部１０ｂに横梁１２ｂを架設して形成した矩形枠体１７ａと主基台１６との間に縦梁１１ｂを架設して構成している。
【００９２】
また、基台１３の短辺一側端部には、イオン風発生機器としてのドライヤー２４をステー２３で支持した状態で配置している。このドライヤー２４は、吹出口２４ａから吹き出される気流及びイオン風の吹出軸が基台１３の長手方向と並行になるよう配置している。なお、以下の説明において、基台１３の長手方向でドライヤー２４側の端部を「近位端」とし、ドライヤー２４から離れた側の端部を「遠位端」と称する。
【００９３】
また、主基台１６の上部に架設した２つの横梁１２ａ上には、基台１３上で吹出方向移動体１４をスライドさせつつ長手方向へ移動可能とするための吹出方向レール１８,１８を配設している。この吹出方向レール１８は、所謂ローラースライドレールのレールを採用している。
【００９４】
また、副基台１７の上部に架設した横梁１２ｂ上には、基台１３上で吹出方向移動体１４を所定の位置に位置決めするための吹出方向位置決め部１９と、吹出方向ラック２０と複数のマーカ２１とを配設している。
【００９５】
吹出方向位置決め部１９は、吹出方向移動体１４の底面に設けられたボールプランジャ３７ａ（後述）と係合する位置決めピン３７ｂを長手方向に沿って複数（本実施形態では145個）配置することで構成している。
【００９６】
吹出方向ラック２０は、基台１３の長手方向に向けて配設された鋸歯状の係合部を備えるラックであり、吹出方向移動体１４に配設された吹出方向移動モータ２７（後述）の駆動軸に取り付けられているピニオン２７ａと係合し、吹出方向移動モータ２７が生起する回転力を直線方向への駆動力に変換して、吹出方向移動体１４を基台１３の長手方向に移動可能としている。
【００９７】
マーカ２１は、撮像装置としてのデジタルカメラで発光体としてのＬＥＤを撮像した際に位置情報又は位置情報の基準点として機能するものであり、本実施形態では７セグＬＥＤを用い、近位端側から遠位端側へ所定間隔に昇順で１〜５までの数字を表示することで実現している。
【００９８】
吹出方向移動体１４は、基台１３上を吹出方向レール１８に沿って吹出方向、すなわち近位端から遠位端にかけて移動する移動体である。吹出方向移動体１４は基板２５の下面で基台１３上の吹出方向レール１８と対応する位置にスライダ２６,２６が配設されており、各吹出方向レール１８に対してスライダ２６が摺動することにより、吹出方向移動体１４を基台１３の長手方向に沿って移動可能としている。
【００９９】
また、図２に示すように、基板２５の裏面には、基台１３の吹出方向位置決め部１９と対応する位置にボールプランジャ３７ａが配設されており、位置決めピン３７ｂが配置されている長手方向のいずれかの位置にて吹出方向移動体１４を位置決め可能としている。
【０１００】
また、図１に示すように、基板２５の上面には、吹出方向移動モータ２７が配設されている。吹出方向移動モータ２７は、吹出方向移動体１４を基台１３の長手方向へ移動させるための駆動力を生起するモータであり、吹出方向移動体１４を基台１３上に載置した際に吹出方向ラック２０と対応する駆動軸上には、同吹出方向ラック２０と歯合可能なピニオン２７ａが取り付けられている。
【０１０１】
また、基板２５の上面には、同基板２５の長手方向、すなわち、基台１３の短手方向へ向けて幅方向レール２８が配設されている。この幅方向レール２８は、吹出方向移動体１４上で幅方向移動体１５をスライドさせつつ基台１３の短手方向へ移動可能とするためのレールであり、吹出方向レール１８と同様、所謂ローラースライドレールのレールを採用している。なお、以下の説明において、吹出方向移動体１４の長手方向（基台１３の短手方向）で吹出方向移動モータ２７側の端部を「始端」とし、吹出方向移動モータ２７から離れた側の端部を「終端」と称する。
【０１０２】
また、基板２５には幅方向位置決め部２９が配設されている。この幅方向位置決め部２９は、幅方向移動体１５の底面に設けられたボールプランジャ３７ａと係合する位置決めピン３７ｂを基板２５の長手方向（基台１３の短手方向）に沿って複数（本実施形態では48個）配置することで構成している。
【０１０３】
また、基板２５には幅方向ラック３０が配設されている。この幅方向ラック３０は、基板２５の長手方向（基台１３の短手方向）に向けて配設された鋸歯状の係合部を備えるラックであり、幅方向移動体１５に配設された幅方向移動モータ３３（後述）の駆動軸に取り付けられているピニオン３３ａと係合し、幅方向移動モータ３３が生起する回転力を直線方向への駆動力に変換して、幅方向移動体１５を吹出方向移動体１４の長手方向（基台１３の短手方向）に移動可能としている。
【０１０４】
幅方向移動体１５は、吹出方向移動体１４上を幅方向レール２８に沿って幅方向、すなわち始端から終端にかけて移動する移動体である。幅方向移動体１５は基板３１の下面で吹出方向移動体１４上の幅方向レール２８と対応する位置にスライダ３２,３２が配設されており、各幅方向レール２８に対してスライダ３２が摺動することにより、幅方向移動体１５を吹出方向移動体１４の長手方向（基台１３の短手方向）に沿って移動可能としている。
【０１０５】
また、図２に示した吹出方向位置決め部１９と基板２５との関係の如く、基板３１の裏面には、吹出方向移動体１４の幅方向位置決め部２９と対応する位置に、ボールプランジャ３７ａが配設されており、位置決めピン３７ｂが配置されている吹出方向移動体１４の長手方向のいずれかの位置にて幅方向移動体１５を位置決め可能としている。
【０１０６】
また、基板３１の上面には、幅方向移動モータ３３が配設されている。幅方向移動モータ３３は、幅方向移動体１５を吹出方向移動体１４の長手方向（基台１３の短手方向）へ移動させるための駆動力を生起するモータであり、幅方向移動体１５を吹出方向移動体１４上に載置した際に幅方向ラック３０と対応する駆動軸上には、同幅方向ラック３０と歯合可能なピニオン３３ａが取り付けられている。
【０１０７】
また、基板３１の上面には、イオン計測装置３４が備えられている。イオン計測装置３４は、取込口３４ａより取り込まれたイオンの量に応じてＬＥＤ３４ｂの輝度を変化させる。本実施形態において具体的には、取込口３４ａより取り込まれたイオンの密度が１cm3あたり100万個未満である場合は発光せず、100万個である場合を下限とし、2000万個を上限として輝度を20段階で変化させるようにしている。なお、取込口３４ａは近位端方向、すなわちドライヤー２４の吹出口２４ａより吹き出されるイオン風（気流）の上流方向へ配向しており、ＬＥＤ３４ｂは取込口３４ａの上部に配置している。
【０１０８】
また、基板３１上には門型フレーム３５が立設されており、同門型フレーム３５の上部には、ＬＥＤ３４ｂの略直上位置にデジタルカメラ３６を配設し、撮像軸上又はその近傍にＬＥＤ３４ｂが配位するようにしている。
【０１０９】
なお、上述してきたイオン風可視化装置Ａの構成のうち、基台１３のマーカ２１やドライヤー２４、吹出方向移動体１４の吹出方向移動モータ２７、幅方向移動体１５の幅方向移動モータ３３やイオン計測装置３４、デジタルカメラ３６へは図示しない電源ケーブルやバッテリー等により電力が供給されるよう構成している。
【０１１０】
また、吹出方向移動体１４の吹出方向移動モータ２７、幅方向移動体１５の幅方向移動モータ３３は、図示しない制御装置により、それぞれ駆動・停止の制御がなされるよう構成しており、また、幅方向移動体１５のデジタルカメラ３６についても、吹出方向移動モータ２７や幅方向移動モータ３３により所定の計測点に移動させた際に、制御装置からの指示によりシャッターが切れるよう構成している。
【０１１１】
そして、イオン風可視化装置Ａでは、制御装置により吹出方向移動モータ２７及び幅方向移動モータ３３の駆動・停止を制御しつつ、吹出方向位置決め部１９及び幅方向位置決め部２９によって規定される格子状の交点位置を計測点としてイオン計測装置３４の取込口３４ａを配置させ、各計測点におけるイオン密度をＬＥＤ３４ｂの輝度に反映させ、このＬＥＤ３４ｂを被写体として直上位置からデジタルカメラ３６で撮像し、密度情報（群）としての撮像画像データ（群）を得る。
【０１１２】
具体的な一例としては、まず、吹出方向移動体１４を近位端に位置させ、幅方向移動体１５を始端に位置させた状態（以下、原点配置状態という。）とする。また、これと前後して、イオン風発生機器であるドライヤー２４をON状態とし、吹出口２４ａから気流と共にイオン風が安定して送出されている状態とする。
【０１１３】
次に、制御装置により幅方向移動モータ３３へ幅方向位置決め部２９の位置決めピン１つ分幅方向移動体１５を移動させる指示が行われ、移動がなされた後、デジタルカメラ３６のシャッターを切り撮像画像を得る動作（以下、幅方向移動・撮像動作という。）が行われる。
【０１１４】
そして、吹出方向移動体１４上で幅方向移動体１５を移動させる幅方向移動・撮像動作を始端から終端まで繰り返し行う動作（以下、幅方向往路動作という。）が行われると、次に、制御装置により吹出方向移動モータ２７へ吹出方向位置決め部１９の位置決めピン１つ分吹出方向移動体１４を遠位端方向へ移動させ、デジタルカメラ３６のシャッターを切り撮像画像を得る動作（以下、吹出方向移動・撮像動作という。）が行われる。
【０１１５】
次に、制御装置により幅方向往路動作とは反対方向、すなわち終端から始端方向への幅方向移動・撮像動作が始端に至るまで行われる（幅方向復路動作という。）。
【０１１６】
このように、基台１３に対して吹出方向移動体１４や幅方向移動体１５を移動させることにより、原点配置状態から、幅方向往路動作、吹出方向移動・撮像動作、幅方向復路動作を繰り返し行って、イオン計測装置３４の取込口３４ａの移動軌跡内に含まれる面（所定平面）上に規定された各計測点を経由しつつ二次元的に走査を行い、密度情報（群）としての撮像画像データ（群）が得られる。
【０１１７】
図３は、イオン風可視化装置Ａの撮像画像データ収集中の状態を示した説明図である。図３（ａ）においてイオン風可視化装置Ａは、吹出方向移動体１４の位置（吹出方向における位置）がマーカ２１ａとマーカ２１ｂとの中間位置となっており、幅方向移動体１５の位置（幅方向における位置）がドライヤー２４と略対向する中央位置となっている。
【０１１８】
この時、門型フレーム３５に配設されたデジタルカメラ３６の撮像範囲Ｆには、図３（ｂ）にて一点鎖線で示すように、画角αをもってマーカ２１（ここでは、マーカ２１ａ及びマーカ２１ｂ）が含まれるようにしている。なお、図３（ｂ）において示す破線は、デジタルカメラ３６の撮像軸３６ａを示している。
【０１１９】
また、この画角αは、幅方向移動体１５が始端位置や終端位置に位置している場合であっても、撮像範囲Ｆ内にマーカ２１が撮像される角度としており、併せて、各マーカ２１の間隔や画角も、近位端から遠位端までの間のいずれの位置に吹出方向移動体１４が位置決めされた場合であっても撮像範囲Ｆ内にマーカ２１が納められる間隔や画角としている。すなわち、格子状に規定された全ての計測点において、撮像画像及び撮像画像データに各計測点の位置情報が含まれるようにしている。
【０１２０】
したがって、図４の上部に示すように、例えば計測点Ｐ、計測点Ｑ、計測点Ｒにおいて取得される撮像画像データは、それぞれ図４の下部に示した撮像画像ｐ、撮像画像ｑ、撮像画像ｒのような画像を含むデータとなる。
【０１２１】
そこで、全ての計測点で得られた撮像画像データをデジタルカメラ３６から取出し、例えばコンピュータにて所定の画像処理ソフトウェア等により、図５に示すように各撮像画像に納められた各マーカ２１の位置を揃えつつ各計測点の位置情報を保持しながら合成（統合）を行うことにより、密度合成データとしての合成画像データが得られる。
【０１２２】
そして、表示媒体としての紙やコンピュータの表示装置上に、得られた合成画像データに基づいて表示したならば、図６に示すように表示媒体上に規定された仮想的な格子の交点上にドットが配位したイオン密度分布表示体が形成され、イオン風の可視化が実現されることとなる。
【０１２３】
次に、他の実施形態に係るイオン風の可視化方法に関し、イオン風可視化設備Ｂを用いた場合を想定しつつ説明する。このイオン風可視化設備Ｂを用いたイオン風の可視化方法は、可視化を行うまでの基本的な流れは同じであるが、主に、イオン計測装置３４を複数用いている点や、吹出方向移動体１４及び幅方向移動体１５を手動で移動させる点、また、デジタルカメラ３６を基台１３に対して固定しＬＥＤ３４ｂに対しては相対的に移動するようにした点で構成を異にしている。なお、先の構成と略同様の構成については、同じ符号を付して説明を省略する場合がある。
【０１２４】
図７はイオン風可視化設備Ｂの構成を示した説明図である。イオン風可視化設備Ｂは、図７（ａ）に示すように、イオン風の可視化作業を行う作業室４０の天井面４０ａに設けたデジタルカメラ３６と、イオン風可視化装置Ｃとで構成している。
【０１２５】
イオン風可視化装置Ｃは、前述のイオン風可視化装置Ａと同様、基台１３、吹出方向移動体１４、幅方向移動体１５で構成している。
【０１２６】
基台１３に関し、イオン風可視化装置Ｃに特徴的には、デジタルカメラ３６を基台１３に対して固定したことに伴い、副基台１７の横梁１２ｂにマーカ２１を配設していない。
【０１２７】
また、吹出方向移動体１４に関し、イオン風可視化装置Ｃに特徴的には、吹出方向移動モータ２７に代えて吹出方向移動軸受４１を配設し、吹出方向移動軸４１ａの基端をこの吹出方向移動軸受４１で支持し、吹出方向移動軸４１ａの中途部であって吹出方向位置決め部１９と対応する位置にピニオン２７ａを装着すると共に、吹出方向移動軸４１ａの先端部には、イオン風可視化設備Ｂの使用者が把持して回動させることにより吹出方向移動体１４を基台１３に対し長手方向へ移動させるための吹出方向移動ハンドル４１ｂを配設している。
【０１２８】
また、幅方向移動体１５に関し、イオン風可視化装置Ｃに特徴的には、幅方向移動モータ３３に代えて幅方向移動軸受４２を配設し、幅方向移動軸４２ａの基端をこの幅方向移動軸受４２で支持し、幅方向移動軸４２ａの中途部であって幅方向位置決め部２９と対応する位置にピニオン３３ａを装着すると共に、幅方向移動軸４２ａの先端部には、イオン風可視化設備Ｂの使用者が把持して回動させることにより、幅方向移動体１５を吹出方向移動体１４に対し基台１３の短手方向（吹出方向移動体１４の長手方向）へ移動させるための幅方向移動ハンドル４２ｂを配設している。
【０１２９】
また、幅方向移動体１５の基板３１上には、取込口３４ａをいずれも近位端方向へ向けて開口状態とした３台のイオン計測装置３４を幅方向に所定の間隔を隔てて配設している。
【０１３０】
基板３１上にイオン計測装置３４を幅方向に複数台配置する構成は、人手による作業の省力化を意図したものであり、イオン計測装置３４を１台しか設けない場合に比して、幅方向移動体１５の幅方向への移動距離を短く（本実施形態では３分の１）することができる。すなわち、１回の撮像で撮像画像データ上には３つのＬＥＤ３４ｂの発光状態に応じた密度情報が記録される。なお、例えば基板３１を吹出方向へ横長形状とし、同基板３１上にイオン計測装置３４を吹出方向へ直列に複数台配置する構成は、一見同様の作業性向上を見込めるようにも思えるが、好ましいとは言い難い。本実施形態に係るイオン風の可視化方法は、イオン風発生機器からイオン風を発生させつつ可視化を行うものであるが、イオン計測装置３４を吹出方向へ直列に複数台配置した場合には、吹出方向上流側に配置したイオン計測装置３４により、下流側のイオン風や気流が乱されることとなり、正確な密度情報を得るのが困難になるためである。また、特に重要な点として、イオン計測装置３４が同軸二重円筒式や平行平板式のイオン密度測定器である場合、取込口３４ａから取り込まれたイオンは計測により消滅する。それゆえ、吹出方向下流側に配置されたイオン計測装置３４により正確な密度情報を得るのは更に困難である。これらのような問題を回避しつつ、効率的なイオン風の可視化作業を行う上でも、本他の実施形態の如く、イオン計測装置３４を幅方向に複数台配置する構成は有利であると言える。
【０１３１】
ところで、イオン風可視化装置Ｃにおいても、取込口３４ａの上部には、イオン計測装置３４が取り込んだイオンの量に応じて輝度又は色が変化する発光体としてのＬＥＤ３４ｂが配設されているが、デジタルカメラ３６を天井面４０ａに配置したイオン風可視化設備Ｂにあっては、このＬＥＤ３４ｂの形状が、イオン風の可視化において極めて興味深い結果をもたらすこととなる。
【０１３２】
図８は、角度に応じたＬＥＤ３４ｂの見え方についての説明図である。図８（ａ）に示すように、ＬＥＤ３４ｂを直上位置から見た場合は、図８（ｂ）に示すように円形に視認されることとなるが、他の角度から見た場合は、図８（ｃ）に示すようにＬＥＤ３４ｂの側面部も含めて円形とは異なるやや引き伸ばされた状態で視認されることとなる。
【０１３３】
すなわち、図８（ａ）における視線を、ＬＥＤ３４ｂから発せられた光がデジタルカメラ３６の光学部へ至る角度に置き換えると、デジタルカメラ３６の撮像軸直下位置にＬＥＤ３４ｂが位置しているときは、図８（ｂ）のような画像が得られ、デジタルカメラ３６の撮像軸から離れるにしたがい、その離れた方向に応じて図８（ｃ）に示すような変形した画像が得られることとなる。
【０１３４】
これは、所定平面に対し法線方向への長さ成分を備えるような発光体を採用することで得ることができるものであり、このような撮像画像上の発光体、すなわちドットの形状変化は、イオン風を可視化した際にあたかもイオン風が流れているような演出効果を生起することができる。
【０１３５】
したがって、図８（ｄ）に示すように、垂直方向への長さ成分がより大きい発光体を採用すれば、この効果は更に強調されることとなる。
【０１３６】
図７（ｂ）にて示したように、本他の実施形態においては、デジタルカメラ３６の位置を吹出方向及び幅方向の略中央部としている。したがって、イオン風可視化設備Ｂを用いて得られた撮像画像データを統合して合成画像データを得た場合、この合成画像データに基づいて表示を行うと、図９に示すように、撮像軸直下近傍におけるドット形状は略円形となる一方、近位端近傍ではＬＥＤ３４ｂの遠位端側側面が被写された略弾丸形状となり、また、遠位端近傍ではＬＥＤ３４ｂの近位端側側面が被写された略弾丸形状（イオン風の吹出方向と略並行な長軸を有する略楕円形状）となって、ドット形状が変化し、あたかも近位端から遠位端側へ勢いよくイオン風が吹き出されているような演出を行うことができる。なお、撮像画像データ群の合成（統合）は、各撮像画像の画角（撮像範囲）を揃えて行うことにより、位置情報を保持しつつ行うことができ、表示媒体上に規定した仮想格子の交点上にドットが縦横に整列して配位した状態として得られる。
【０１３７】
また、近位端側イオン風可視化装置Ａやイオン風可視化設備Ｂに拘わらず、イオン風の可視化におけるＬＥＤ３４ｂの発光は、近位端において輝度が高く、遠位となるほど輝度が低くなる傾向があるが、デジタルカメラ３６にて撮像画像データを得るに際し、デジタルカメラ３６の設定を、近位端におけるＬＥＤ３６ｂの輝度でハレーションが起こる設定としても良い。
【０１３８】
このような構成とすることにより、図９に示すイオン密度分布表示体の如く、近位端近傍では、ドットの周囲に薄く「もや」がかかった状態、すなわちドット群が実質的に一体化した露光過剰領域を表現することができ、無数の煌めく微粒子がドライヤー２４の吹出口２４ａから勢いよく流れているような、幻想的な演出を施すことができる。
【０１３９】
このように、イオン風可視化装置Ａやイオン風可視化設備Ｂを用いて本実施形態に係るイオン風の可視化方法で得られたイオン密度分布表示体は、色相、彩度、明度、大きさ、コントラストから選ばれる少なくともいずれか１つがイオン密度によって異なる複数のドットが、イオン風発生機器の吹出口より実際に送出されたイオン風のイオン密度の複数の計測点と対応する所定の表示媒体上の位置に付された状態となっている。
【０１４０】
そして、例えば図１０に示すように、このイオン密度分布表示体５０は、ドライヤー２４の包装箱５１など、イオン風発生機器用包装材に付することにより、イオン風発生機器の購入を検討している消費者等に対し、イオン密度の高低やイオンの分布を視覚的に認識させてイオン風発生機器の性能を強く訴求することができる。
【０１４１】
また、図示は省略するが、同様に、イオン風発生機器の広告媒体物に付した場合であっても、イオン風発生機器の広告媒体物に接した者に対し、イオン密度の高低やイオンの分布を視覚的に認識させてイオン風発生機器の性能を強く訴求することができる。
【０１４２】
上述してきたように、本実施形態に係るイオン風の可視化方法によれば、イオン風発生機器（例えば、ドライヤー２４）から送出されている状態のイオン風の可視化方法であって、前記イオン風の到達空間領域と交差する所定平面上に規定した複数の計測点を経由しつつイオン計測装置（例えば、イオン計測装置３４）のイオン取込口（例えば、取込口３４ａ）で二次元的に走査してイオンの密度情報を前記計測点毎に取得し、得られた密度情報群を前記計測点の位置情報を保持しつつ統合して密度合成データを生成すると共に、各計測点におけるイオン密度に応じて変化可能な可視化手段によって前記密度合成データに基づき所定の表示媒体上に表示することとしたため、イオン密度の高低やイオンの分布を視覚的に容易に把握することのできるイオン風の可視化方法を提供することができる。
【０１４３】
また、イオン風発生機器から送出されている状態のイオン風の可視化方法であって、取り込んだイオンの量に応じて輝度又は色が変化する発光体（例えば、ＬＥＤ３４ｂ）を配設したイオン計測装置のイオン取込口で前記イオン風の到達空間領域と交差する所定平面上に規定した複数の計測点を経由しつつ二次元的に走査し、前記計測点毎の前記発光体の撮像画像データを収集し、得られた撮像画像データ群を前記計測点の位置情報を保持しつつ合成して合成画像データを生成すると共に、同合成画像データに基づき所定の表示媒体上に表示することとしたため、イオン密度の高低やイオンの分布を視覚的に容易に把握することのできるイオン風の可視化方法を提供することができる。
【０１４４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１４５】
例えば、上記実施例では、ドライヤー２４の吹出軸を水平方向とし、これと平行な所定平面上に計測点を規定してイオン風の可視化を行ったが、これに限定されるものではなく、ドライヤー２４の吹出軸が所定平面と交わる位置にドライヤー２４を配置して、同ドライヤー２４の吹出口２４ａ方向へイオン計測装置３４の取込口３４ａを配向させることでイオン風の可視化を行うようにしても良い。
【０１４６】
また、上記実施例では、イオン計測装置３４の取込口３４ａで所定平面上を走査するにあたり、原点配置状態から、幅方向往路動作、吹出方向移動・撮像動作、幅方向復路動作を繰り返し行うこととしたが、これに限定されるものではなく、任意の計測点を開始位置としても良いし、吹出方向往路動作、幅方向移動・撮像動作、吹出方向復路動作を繰り返し行うようにしても良く、更には、必ずしも規則的に計測点を巡る必要もない。
【０１４７】
また、計測点は撮像や計測を行うポイントとは限らず、撮像や計測を行うか、又は行ったポイントを計測点としても良いのは勿論である。
【０１４８】
また、上記実施例において計測点は、位置決めピン３７ｂを等間隔に配した吹出方向位置決め部１９及び幅方向位置決め部２９により規定したが、これに限定されるものではない。例えば、吹出方向位置決め部１９に関し、遠位側の位置決めピン３７ｂの間隔を、近位側の位置決めピン３７ｂの間隔よりも長く（広く）しても良いし、より具体的には、遠位側へ向けて漸次長くなるようにしても良い。また、吹出方向位置決め部１９の位置決めピン３７ｂの間隔は、幅方向位置決め部２９の位置決めピン３７ｂの間隔よりも短く（狭く）なるようにしても良い。
【符号の説明】
【０１４９】
１３  基台
１４  吹出方向移動体
１５  幅方向移動体
１９  吹出方向位置決め部
２１  マーカ
２４  ドライヤー
２４ａ  吹出口
２９  幅方向位置決め部
３４  イオン計測装置
３４ａ  取込口
３５  門型フレーム
３６  デジタルカメラ
３６ａ  撮像軸
３７ａ  ボールプランジャ
３７ｂ  位置決めピン
５１  包装箱
α  画角
Ａ  イオン風可視化装置
Ｂ  イオン風可視化設備
Ｃ  イオン風可視化装置
Ｆ  撮像範囲
Ｐ  計測点
Ｑ  計測点
Ｒ  計測点
【図１】
0006639227.tif 000002
【図２】
0006639227.tif 000003
【図３】
0006639227.tif 000004
【図４】
0006639227.tif 000005
【図５】
0006639227.tif 000006
【図６】
0006639227.tif 000007
【図７】
0006639227.tif 000008
【図８】
0006639227.tif 000009
【図９】
0006639227.tif 000010
【図１０】
0006639227.tif 000011